(57)【要約】【課題】送受信通話時、デスプレーに使用者の顔肌が接触することによる油脂、更には化粧粉にてデスプレーが汚れ、不快感を与えたり、更には使用前後に拭き取るという課題を解決しようとするものである。【解決手段】機器本体の表面側に操作部及びその操作状態を文字、数字、画像にて表示するデスプレーを備え、更にこの操作部及びデスプレーと反対側である本体の裏面側に受信用イヤホン及び送信用マイクロフォンを備えることにより、送受信通話時において、デスプレーに使用者の顔肌が接触することがない様にした携帯通信機。【選択図】図１
2009033693.tif 000002
【特許請求の範囲】
【請求項１】
機器本体と、この本体の表面側に露呈して備えられた各種機能を操作する操作部及びその操作状態を文字、数字、画像にて表示するデスプレーと、この操作部及びデスプレーに対し反対側となる本体の裏面側に位置する様に備えられた受信用イヤホン及び送信用マイクロフォンとで成したことを特徴とする携帯通信機。
【請求項２】
機器本体に、受信或いは送信中において音声動作は現状維持すると共に、デスプレー表示のみを消滅動作させる操作スイッチを装備したことを特徴とする請求項１記載の携帯通信機。
【請求項３】
機器本体を、デスプレーを有する第一の筐体と、操作部を有する第二の筐体と、この両筐体を折畳み開閉自在に連結するヒンジ部とで成したことを特徴とする請求項１記載の携帯通信機。
【請求項４】
両筐体のほぼ全開と共に、受信或いは送信中において音声動作は現状維持すると共に、デスプレー表示のみを消滅させるスイッチをヒンジ部の回転に伴って動作する様、装備したことを特徴とする請求項３記載の携帯通信機。
【発明の詳細な説明】
【発明の詳細な説明】
【技術分野】
【０００１】  本発明は、使用者が携帯して送受信通話を行う携帯通信機に関する。
【背景技術】
【０００２】  携帯通信機は、機器本体の表面側に各種機能を指先にて操作する操作部及びその操作状態を文字、数字、画像にて表示するデスプレーとを装備し、更に受信用イヤホン及び送信用マイクロフォンも同様に表面側に位置させている。
勿論、ストレートタイプとは異なる折畳みタイプにおいても同様である。
而して、その送受信通話は、耳を受信用イヤホンに添わせ、且つ口元にて送信用マイクロフォンを近接させて行っている。
従って、ややもするとデスプレーにも使用者の顔肌が接触し、油脂、更には化粧粉にてデスプレーが汚れ、不快感を与えることとなり、使用前後に頻繁に拭き取る煩わしさが顕在化している。【０００３】
【特許文献】特開平１０−３２２４２７・・・・文献１  特開２００６−３２４９１２・・・文献２
【発明の開示】
【発明が解決しようとする課題】
【０００４】  本発明は、送受信通話時、デスプレーに使用者の顔肌が接触することによる油脂、更には化粧粉にてデスプレーが汚れ、不快感を与えたり、更には使用前後に拭き取る煩雑から解放しようとするものである。
【課題を解決するための手段】
【０００５】  以上の課題を解決するために本発明は、機器本体の表面側に操作部及びその操作状態を文字、数字、画像にて表示するデスプレーを備え、更にこの操作部及びデスプレーと反対側である本体の裏面側に受信用イヤホン及び送信用マイクロフォンを備えることにより、送受信通話時において、デスプレーに使用者の顔肌が接触することがない様にした携帯通信機。
【発明の効果】
【０００６】（１）機器本体の表面側に操作部及びデスプレーを備え、その反対側となる裏面側に受信用イヤホン及び送信用マイクロフォンを位置する様に備えたから、その送受信通話時、当然顔肌に受信用イヤホン、或は送信用マイクロフォンを近接させても、デスプレーは顔肌に接することがなく、従って油脂、更には化粧粉にてデスプレーが汚れることはなく、不快感を与えたり、使用前後にデスプレーを頻繁に拭き取る煩わしさもなくなる。【０００７】（２）送受信中において、音声動作は現状維持、即ち支障なく使用継続できるが、デスプレー表示はスイッチにて消滅されているので、受信用イヤホン及び送信用マイクロフォンとデスプレーとを反対面側に夫々位置させることによる新たな技術的課題、所謂デスプレー表示状態が他人に露呈されることを防止できる。【０００８】（３）更に機器本体を第一及び第二筐体として折畳み開閉自在としたものにおいて、両筐体をほぼ全開した状態時にヒンジ部の回転に伴ってデスプレーの表示を消滅させるスイッチを動作する様にしたから、デスプレー表示が自動的に消滅し、消し忘れによる他人への露呈を防止できる。
【発明を実施するための最良の形態】
【０００９】  以下本発明を実施形態の図面に基づいて説明する。
図１は本発明に係るストレートタイプの携帯通信機の表面側を示す斜視図である。図に示す機器本体１の表面側１ａには、相手方への電話番号操作、メール、その他の各種機能操作を行う操作部２が複数の操作ボタン２ａによって成されている。
更に表面側１ａには操作状態を文字、数字、画像にて表示するデスプレー３が同様に露呈して備えられている。このデスプレー３は主に液晶タイプが用いられる。【００１０】  図２は裏面側を示す縮小斜視図であって、裏面側１ｂの上部には受信用イヤホン４を、且つ下部には送信用マイクロフォン５が夫々備えられている。
即ち、デスプレー３と受信用イヤホン４及び送信用マイクロフォン５とは同一面側に併設されない状態にあればよく、ここで言う機器本体１の表面側１ａ、或いは裏面側１ｂとは、本発明を説明する上で便宜的に定義した代名詞であって、限定解釈するものではない。【００１１】  図３は機器本体１を第一の筐体１Ｘと第二の筐体１Ｙとで成し、この両筐体１Ｘ、１Ｙをヒンジ部６にて折畳み開閉自在とする所謂、折畳タイプのものを示している。
而して、この第一筐体１Ｘの表面側１ａには、操作部２が備えられ、且つ第二筐体１Ｙの表面側１ａには、デスプレー３が同様に露呈して備えられている。
更に、図４の裏面側を示す縮小斜視図にあっては、第一筐体１Ｘの裏面側１ｂには送信用マイクロフォン５が、第二筐体１Ｙの裏面側１ｂには受信用イヤホン４が夫々備えられている。【００１２】  図５は携帯電話機の構成を示すブロック図である。図に示す如くマイクロフォン５から音声が入力されると、音声信号処理部７で処理された音声データはＣＰＵを介して送受信回路８からアンテナ９を通して送信される。【００１３】  アンテナ９を通して送受信回路８に入力された音声データは、ＣＰＵを介して音声信号処理部７に入力処理され、受信用イヤホン４に至り、送受信動作が行われる。
ＣＰＵはＲＯＭ１０に書かれたプログラムに従い、操作ボタン２ａ及び送受信回路８からの信号により動作し、送受信回路８、ＬＣＤドライバー１２を制御する。
ＣＰＵはＲＡＭ１１を一時記憶メモリーとして用い、ＥＥＰＲＯＭ１３に電話番号や機器の機能操作内容などを記憶させる。
ＬＣＤドライバー１３はフオントＲＯＭ１０の任意のフオントをデスプレー３の指定した場所に表示する。【００１４】  ＬＣＤドライバー１３に接続されたスイッチ１４を操作することにより、ＬＣＤドライバー１３からの出力は停止し、デスプレー３は画面表示せず、且つ音声のみの受発信は継続される。勿論、この状態においても必要に応じ操作ボタン２ａの操作は可能である。
而して、上記スイッチ１４について、図２はストレートタイプの携帯通信機に対応し、機器本体１の側面にスイッチボタン１４ａを設けており、図６は折畳タイプへの対応とし、両筐体１Ｘ、１Ｙをほぼ全開した状態Ｚにおいて、ヒンジ部６の回転に伴って接触子６ａ、６ｂ間が導通し、ＬＣＤドライバー１３からの出力は停止する。
勿論、このスイッチ１４の操作を、操作部２の任意の操作ボタン２ａ、例えばシャープにて兼務させてもよい。【００１５】  図７は使用状態を示しており、人Ｈの頬面Ｆに受信用イヤホン４及び送信用マイクロフォン５を添わせ、デスプレー３及び操作部２は頬面Ｆの外側に位置しており、且つスイッチ１４の操作により、デスプレー３の画面表示は消滅しており、他人への表示はなく、且つ音声のみの受発信は継続される。勿論、必要に応じ操作ボタンの操作は可能である。
【図面の簡単な説明】
【００１６】
【図１】  本発明に係るストレートタイプ携帯通信機の表面側を示す斜視図
【図２】  同上の裏面側を示す縮小斜視図
【図３】  本発明に係る折畳タイプ携帯通信機の表面側を示す斜視図
【図４】  同上の裏面側を示す縮小斜視図
【図５】  本発明携帯電話機の構成を示すブロック図
【図６】  ヒンジ部の拡大断面図
【図７】  使用状態図
【符号の説明】
【００１７】  １    機器本体
２    操作部
３    デスプレー
４    受信用イヤホン
５    送信用マイクロフォン
６    ヒンジ部
１４  スイッチ
【図１】
2009033693.tif 000003
【図２】
2009033693.tif 000004
【図３】
2009033693.tif 000005
【図４】
2009033693.tif 000006
【図５】
2009033693.tif 000007
【図６】
2009033693.tif 000008
【図７】
2009033693.tif 000009